(57)【要約】【課題】  一般加入電話網による接続を行う既設の主装置や、それに接続されている電話機のシステムを変更することなく、ＩＰ網での接続を容易に行う網切替装置を構成する。【解決手段】  主装置２Ａ，２Ｂと網４，５との間に網切替装置１Ａ，１Ｂを設ける。網切替装置１Ａ，１Ｂには一般加入電話網における第１の電話番号とＩＰ網における第２の電話番号に対応付ける対応電話番号テーブルを設ける。網切替装置１Ａは、その接続要求に含まれている電話番号が一般加入電話網における第１の電話番号であれば、対応電話番号テーブルから対応する第２の電話番号を参照して、その第２の電話番号を含む接続要求をＩＰ網５へ送出する。網切替装置１ＢはＩＰ網５からの着信要求を受けて、その第２の電話番号に対応する第１の電話番号を対応電話番号テーブルの参照により読み出し、その第１の電話番号を含む着信要求を電話機３Ｂへ送出する。【選択図】  図１
2006245864.tif 000002
【特許請求の範囲】
【請求項１】
一般加入電話網における第１の電話番号と、ＩＰ網における第２の電話番号とを対応づけて記憶する対応電話番号記憶手段と、
接続先の電話番号を含む接続要求を受け付ける接続要求受付手段と、
前記接続要求受付手段が受け付けた前記接続要求に含まれている接続先の電話番号の種別が前記第１の電話番号であり、且つこの第１の電話番号に対応づけられている第２の電話番号が前記対応電話番号記憶手段に記憶されていなければ、前記接続要求受付手段が受け付けた第１の電話番号を含む前記接続要求を前記一般加入電話網へ送出する一般加入電話網接続要求送出手段と、
前記接続要求受付手段が受け付けた前記接続要求に含まれている接続先の電話番号の種別が前記第１の電話番号であり、且つこの第１の電話番号に対応する第２の電話番号が前記対応電話番号記憶手段に記憶されている場合、該第２の電話番号を含む接続要求を前記ＩＰ網へ送出するＩＰ網接続要求送出手段と、
を備えた網切替装置。
【請求項２】
前記ＩＰ網接続要求送出手段は、前記接続要求受付手段が受け付けた前記接続要求に含まれている接続先の電話番号の種別が前記第２の電話番号であれば、前記接続要求受付手段が受け付けた前記接続要求を前記ＩＰ網へ送出する請求項１に記載の網切替装置。
【請求項３】
一般加入電話網における第１の電話番号と、ＩＰ網における第２の電話番号とを対応づけて記憶する対応電話番号記憶手段と、
前記一般加入電話網または前記ＩＰ網から送られてきた着信要求を受け付ける着信要求受付手段と、
前記着信要求受付手段が前記ＩＰ網から送られてきた着信要求を受け付け、且つこの着信要求に含まれている第２の電話番号に対応づけられている第１の電話番号が前記対応電話番号記憶手段に記憶されている場合、該第１の電話番号を含む着信要求を電話機側へ送出する着信要求送出手段と、
を備えた網切替装置。
【請求項４】
前記着信要求送出手段は、前記着信要求受付手段が前記一般加入電話網から送られてきた着信要求を受け付けた場合、または前記着信要求受付手段が受け付けた前記ＩＰ網から送られてきた着信要求に含まれている第２の電話番号に対応づけられている第１の電話番号が前記対応電話番号記憶手段に記憶されていない場合、前記着信要求受付手段が受け付けた着信要求を電話機側へ送出する請求項３に記載の網切替装置。
【発明の詳細な説明】
【技術分野】
【０００１】
この発明は、一般加入電話網とＩＰ網の切り替えを行って通話を行えるようにした網切替装置に関するものである。
【背景技術】
【０００２】
従来、音声信号をディジタル信号に変換し、ＩＰパケットとして送受信する、いわゆるＩＰ電話のシステムが開発され、普及してきている。
【０００３】
ＩＰ網またはＩＰ網を含むインターネットで利用するプロトコルを使って音声を伝送するためにＶｏＩＰ（Voice over IP）技術が用いられている（特許文献１・特許文献２参照）。
【０００４】
特許文献１のシステムは、ＶｏＩＰ用ＩＳＤＮアダプタをＶｏＩＰアダプタに接続することにより、ＩＳＤＮ網で送受信した、互いのＩＰアドレスを含むアダプタ情報を基にＩＳＤＮ網に接続するＶｏＩＰシステムを容易に構築できるようにしたものである。
【０００５】
また、特許文献２のシステムは、一般加入電話網とＩＰ網とを識別信号に応じて切替接続を行うアダプタを介して電話機をＩＰ網に接続し、上記アダプタを介してＩＰ網に接続された電話機で通話を行えるようにしたものである。
【特許文献１】特開２００４−７５５０公報
【特許文献２】特開２００３−２６４６４４公報
【発明の開示】
【発明が解決しようとする課題】
【０００６】
ところが、このような一般加入電話網による通話とＩＰ網による通話とを選択的に行えるようにしたシステムにおいて、特に企業向けの電話システムでは、ＩＰ電話だけでなく一般加入電話網による接続を可能にしておかなければならず、そのため次のような問題が発生している。
【０００７】
（１）  企業における電話設備は、一般に主装置（ＰＢＸ）を導入していて、ダイヤルインの設定が一般加入電話網での通常の電話番号でなされている。そのため、ＩＰ電話の電話番号（通常“０５０”で始まる複数桁の番号）で発信または着信する場合に、主装置に対してＩＰ電話についての電話番号の追加設定が必要となる。
【０００８】
（２）  例えば、本社−支社間、支社−支社間など同一企業内の電話番号には、短縮番号の設定が通常行われている。このような場合に、主装置には一般加入電話網の電話番号と短縮番号とが関連付けられて設定されているので、そのような既に構築されている電話システムに対して新たにＩＰ電話を導入する場合に、上記一般加入電話網の電話番号とは別に新たにＩＰ電話の電話番号を主装置に追加設定しなければならない。
【０００９】
（３）  ＩＰ電話導入後は、一般加入電話網による接続とＩＰ網による接続とが併用されるため、同じ相手先に電話をかける場合にも、今まで（一般加入電話網における電話番号）とは異なった電話番号（ＩＰ網における電話番号）で掛けることになるので、一般加入電話網による接続からＩＰ網による接続への移行が運用上難しくなる。
【００１０】
（４）ＩＰ網における電話番号（ＩＰ網による接続のための電話番号）を新たに追加設定することになるが、主装置のメモリが一杯になると、追加設定が不可能になる場合にも生じる。
【００１１】
（５）一般加入電話網を利用した在来の主装置（ＰＢＸ）に対してＩＰ電話機能を付加するために、主装置と網（一般加入電話網・ＩＰ網）との間にＩＰ電話端末機を挿入することになるが、このＩＰ電話端末機の追加工事業者と主装置の設置業者とが異なる場合、ＩＰ電話端末機の追加工事業者は主装置の設定変更ができない場合がある。これは、企業向けの主装置が通常、リース物件であり、その商権は主装置の設置業者側にあるからである。そのため、主装置の設定変更をその工事業者に委託することとなるが、工事日程の調整がつきにくく、更にその設定変更のための新たな費用が必要となるなどの問題もあった。
【００１２】
そこで、この発明の目的は、一般加入電話網による接続を行う既設の主装置や、それに接続されている電話機のシステムを変更することなく、上記各種問題を解消した網切替装置を提供することにある。
【課題を解決するための手段】
【００１３】
前記の課題を解決するために、この発明の網切替装置は次のように構成する。
（１）一般加入電話網における第１の電話番号と、ＩＰ網における第２の電話番号とを対応づけて記憶する対応電話番号記憶手段と、
接続先の電話番号を含む接続要求を受け付ける接続要求受付手段と、
前記接続要求受付手段が受け付けた前記接続要求に含まれている接続先の電話番号の種別が前記第１の電話番号であり、且つこの第１の電話番号に対応づけられている第２の電話番号が前記対応電話番号記憶手段に記憶されていなければ、前記接続要求受付手段が受け付けた第１の電話番号を含む前記接続要求を前記一般加入電話網へ送出する一般加入電話網接続要求送出手段と、
前記接続要求受付手段が受け付けた前記接続要求に含まれている接続先の電話番号の種別が前記第１の電話番号であり、且つこの第１の電話番号に対応する第２の電話番号が前記対応電話番号記憶手段に記憶されている場合、該第２の電話番号を含む接続要求を前記ＩＰ網へ送出するＩＰ網接続要求送出手段と、を備える。
【００１４】
（２）前記ＩＰ網接続要求送出手段は、例えば前記接続要求受付手段が受け付けた前記接続要求に含まれている接続先の電話番号の種別が前記第２の電話番号であれば、前記接続要求受付手段が受け付けた前記接続要求を前記ＩＰ網へ送出する。
【００１５】
（３）一般加入電話網における第１の電話番号と、ＩＰ網における第２の電話番号とを対応づけて記憶する対応電話番号記憶手段と、
前記一般加入電話網または前記ＩＰ網から送られてきた着信要求を受け付ける着信要求受付手段と、
前記着信要求受付手段が前記ＩＰ網から送られてきた着信要求を受け付け、且つこの着信要求に含まれている第２の電話番号に対応づけられている第１の電話番号が前記対応電話番号記憶手段に記憶されている場合、該第１の電話番号を含む着信要求を電話機側へ送出する着信要求送出手段と、を備える。
【００１６】
（４）  前記着信要求送出手段は、例えば前記着信要求受付手段が前記一般加入電話網から送られてきた着信要求を受け付けた場合、または前記着信要求受付手段が受け付けた前記ＩＰ網から送られてきた着信要求に含まれている第２の電話番号に対応づけられている第１の電話番号が前記対応電話番号記憶手段に記憶されていない場合、前記着信要求受付手段が受け付けた着信要求を電話機側へ送出する。
【発明の効果】
【００１７】
この発明によれば、次のような効果を奏する。
（１）接続要求受付手段が接続先の電話番号を含む接続要求を受け付け、その接続要求に含まれている電話番号が第１の電話番号であり且つそれに対応付けられている第２の電話番号が対応電話番号記憶手段に記憶されていれば、その第２の電話番号を含む接続要求がＩＰ網へ送出されることになり、一般加入電話網における第１の電話番号での接続要求であるにも関わらず、ＩＰ網での接続が自動的になされる。その結果、一般加入電話網で接続するための既存の主装置または電話機をそのまま用いて相手先への接続が可能となる。
【００１８】
（２）前記接続要求に含まれている接続先の電話番号の種別が第２の電話番号であれば、その接続要求がＩＰ網へ送出されるので、意図どおりのＩＰ網での接続も可能となる。
【００１９】
（３）着信要求受付手段がＩＰ網から送られてきた着信要求を受け付け、且つこの着信要求に含まれている第２の電話番号に対応づけられている第１の電話番号が対応電話番号記憶手段に記憶されている場合、該第１の電話番号を含む着信要求が電話機側へ送出されるので、発信元情報が電話機側で把握できるようになる。
【００２０】
（４）前記着信要求受付手段が一般加入電話網から送られてきた着信要求を受け付けた場合、またはＩＰ網からの着信要求に含まれている第２の電話番号に対応付けられている第１の電話番号が前記対応電話番号記憶手段に記憶されていない場合に、着信要求が電話機側へ送出されるので、一般加入電話網からの着信も従来通り可能となる。
【発明を実施するための最良の形態】
【００２１】
この発明の網切替装置を備えた第１の実施形態である電話システムについて図１〜図３を参照して説明する。
図１は、電話システムの構成を示すブロック図である。図１において、主装置２Ａ，２Ｂは一般加入電話網での接続および内線の回線交換を行う装置、所謂ＰＢＸである。この主装置２Ａ，２Ｂにはそれぞれ複数の電話機３Ａ，３Ｂが接続されている。
【００２２】
図１において、網切替装置１Ａ，１Ｂがこの発明に係る装置であり、主装置２Ａ，２Ｂに対してＵ点インタフェースで接続している。また、一般加入電話網４に対しては、ＩＳＤＮ回線を利用するように接続している。更にＩＰ網５に対しては内蔵のモデムを介してＰＰＰｏＥまたはＰＰＰで接続するように構成している。
【００２３】
図２は、図１に示した網切替装置１Ａ，１Ｂが備える、この発明に係る対応電話番号記憶手段に相当する対応電話番号テーブルである。このテーブルは、主装置２Ａ，２Ｂから網側へ発信する際に、一般加入電話網における電話番号とＩＰ網における電話番号との変換に用いる。
【００２４】
図３は前記網切替装置１Ａ，１Ｂの処理内容を示すフローチャートである。
初めに、主装置２Ａ側から接続要求があるときの網切替装置１Ａの処理手順について説明する。
【００２５】
まず、例えば電話機３Ａから短縮ダイヤルが入力された場合、主装置２Ａに既に登録されている、短縮番号と一般加入電話網における電話番号（第１の電話番号）との対応関係を示すテーブルを参照して、その第１の電話番号を含む接続要求を網切替装置１Ａへ送出する。また、電話機３Ａから一般加入電話網における電話番号（第１の電話番号）またはＩＰ電話網における電話番号（第２の電話番号）が直接入力された場合は、その電話番号を含む接続要求を網切替装置１Ａへ送出する。
【００２６】
このように主装置２Ａ側から接続要求（電話番号を含む信号の入力）があれば、その電話番号の種別が一般加入電話網における第１の電話番号であるか、ＩＰ網における第２の電話番号であるかを判別する（Ｓ１→Ｓ２）。その電話番号が第１の電話番号であれば、図２に示したテーブルを参照して、その第１の電話番号に対応付けて記憶されている第２の電話番号を参照する（Ｓ３）。例えば、図２に示したように０３ｘｘｘｘｘｘ５７という第１の電話番号を含む接続要求であれば、その第１の電話番号に対応付けられている第２の電話番号（ＩＰ網側電話番号）である０５０ｘｘｘｘｘｘ１２を読み出す。そして、その第２の電話番号を含む接続要求をＩＰ網５へ送出（発信）する（Ｓ５）。
【００２７】
もし第１の電話番号に対応する第２の電話番号が図２に示したテーブルに書き込まれていなければ、その第１の電話番号を含む接続要求をそのまま一般加入電話網４へ送出（発信）する（Ｓ６）。
【００２８】
また、主装置２Ａからの接続要求が第２の電話番号を含む接続要求であれば、その接続要求をそのままＩＰ網５へ送出する（Ｓ２→Ｓ５）。
【００２９】
次に、網切替装置１Ｂが網から着信要求があるときの、網切替装置１Ｂの処理手順について説明する。
【００３０】
網切替装置１Ｂが一般加入電話網４またはＩＰ網５からの着信要求を受ければ、その網の種別に応じた処理を行う（Ｓ７→Ｓ８）。ＩＰ網５からの着信要求であれば、図２に示したテーブルを参照して、その着信要求に含まれている第２の電話番号に対応する第１の電話番号を参照する（Ｓ９）。第１の電話番号が記憶されていれば、その第１の電話番号を含む着信信号を主装置２Ｂへ送出する（Ｓ１０→Ｓ１１）。これにより主装置２Ｂは正に一般加入電話網４からの着信要求があった場合と同様に動作する。したがって、主装置２Ｂに既に登録されている、一般加入電話網における電話番号（第１の電話番号）と発信者との対応関係のテーブルを参照して、その発信者名を電話機３Ｂの表示部に表示させる。
【００３１】
上記テーブルに第２の電話番号が登録されていなければ、その第２の電話番号を含む着信信号を主装置２Ｂへ送出する（Ｓ１２）。この場合には、電話機３Ｂの表示部にこの第２の電話番号がそのまま表示されることになる。
【００３２】
なお、接続要求、着信要求のいずれでもない入力があれば、その入力に応じた処理を行う（Ｓ１３）。
【００３３】
このように、従来使用されていた一般加入電話網に対応した主装置２Ａ，２Ｂおよび電話機３Ａ，３Ｂの構成を何ら変更することなく、網切替装置１Ａ，１Ｂを挿入するだけでＩＰ電話の機能を付加することができる。
【００３４】
次に、第２の実施形態に係る電話システムについて図４を参照して説明する。
この例は、図１に示した主装置２Ａ，２Ｂを用いないで、網切替装置１Ａ，１Ｂに電話機３Ａ，３Ｂを直接接続した例である。短縮ダイヤル機能や電話番号と発信者名との対応関係を記憶する機能は電話機３Ａ，３Ｂが備えている。網切替装置１Ａ，１Ｂの構成は図１に示したものと同じである。
【００３５】
この図４に示した電話システムの作用は次のとおりである。
まず電話機３Ａから短縮ダイヤルを行うと、電話機３Ａは、その短縮ダイヤルに対応した電話番号を含む接続要求を網切替装置１Ａへ送出する。
【００３６】
網切替装置１Ａは、その接続要求に含まれている電話番号が一般加入電話網における第１の電話番号であれば、図２に示したものと同様のテーブルから対応する第２の電話番号を参照し、第２の電話番号が登録されていれば、その第２の電話番号を含む接続要求をＩＰ網５へ送出する。
【００３７】
網切替装置１ＢはＩＰ網５からの着信要求を受けて、その第２の電話番号に対応する第１の電話番号を網切替装置１Ｂが備えているテーブルの参照により読み出し、第１の電話番号があれば、その第１の電話番号を含む着信要求を電話機３Ｂへ送出する。
【００３８】
もし網切替装置１Ｂのテーブルに第２の電話番号が登録されていなければ、網切替装置１Ａは前記第１の電話番号を含む接続要求を一般加入電話網４へ送出する。そして、網切替装置１Ｂは一般加入電話網４からの着信要求を受けて、その第１の電話番号を含む着信要求を電話機３Ｂへ送出する。
【００３９】
これにより、電話機３Ｂは、上記第１の電話番号に対応して登録している発信者名を参照し、それを表示部に表示すると共に呼出音を放音する。
その後、電話機３Ｂの使用者がオフフックすると、通話開始となる。
【００４０】
このようにして、ＩＰ網における電話番号を利用可能な発信者と着信者とでは、一般加入電話網を介しての通話接続と同様の流れによって、ＩＰ網を介しての通話を行うことができる。
【図面の簡単な説明】
【００４１】
【図１】第１の実施形態に係る電話システムの構成を示すブロック図である。
【図２】同電話システムで用いる網切替装置が備える対応電話番号テーブルの例を示す図である。
【図３】同網切替装置の処理内容を示すフローチャートである。
【図４】第２の実施形態に係る電話システムの構成を示すブロック図である。
【符号の説明】
【００４２】
１Ａ，１Ｂ−網切替装置
２Ａ，２Ｂ−主装置
３Ａ，３Ｂ−電話機
４−一般加入電話網
５−ＩＰ網
【図１】
2006245864.tif 000003
【図２】
2006245864.tif 000004
【図３】
2006245864.tif 000005
【図４】
2006245864.tif 000006